(57)【特許請求の範囲】
【請求項１】
光を反射型液晶パネルに照射し、その液晶パネルによって変調された光をスクリーン上に投射して映像を表示する液晶プロジェクタ装置において、
前記液晶パネルを固定するベースと、
前記液晶パネルの有効ドット以外に光が当たらないようにする遮光板と、
前記ベースと前記遮光板との間に配置される第１の防塵部材と、
前記遮光板を挟んで前記液晶パネルに対向し、前記液晶パネルに照射される光と前記液晶パネルで変調された光の偏光状態を制御する波長板と、
前記波長板を固定し、前記波長板とともに回転摺動可能なホルダと、
前記遮光板と前記ホルダとの間に配置され、前記遮光板に対して固定した位置にある第２の防塵部材と、
を備えてなる液晶パネルブロックを有すること
を特徴とする液晶プロジェクタ装置。
【請求項２】
前記液晶パネルブロックにおいて、前記ベース、前記遮光板及び前記第１の防塵部材を含む第１のユニットと、前記ホルダ、前記波長板及び前記第２の防塵部材を含む第２のユニットとは、分離可能であることを特徴とする請求項１記載の液晶プロジェクタ装置。
【請求項３】
前記第１の防塵部材と接触する前記ベースの部分に、溝が設けられていることを特徴とする請求項１又は２のいずれか一つに記載の液晶プロジェクタ装置。
【請求項４】
前記液晶パネルの表示面の裏面は、シリコン単結晶面でなり、前記ベースは、熱膨張係数４０〜５５×１０−７／℃である金属でなることを特徴とする請求項１乃至３のいずれか一つに記載の液晶プロジェクタ装置。
【請求項５】
液晶パネルを固定するベースと、
前記液晶パネルの有効ドット以外に光が当たらないようにする遮光板と、
前記ベースと前記遮光板との間に配置される第１の防塵部材と、
前記遮光板を挟んで前記液晶パネルに対向し、前記液晶パネルに照射される光と前記液晶パネルで変調された光の偏光状態を制御する波長板と、
前記波長板を固定し、前記波長板とともに回転摺動可能なホルダと、
前記遮光板と前記ホルダとの間に配置され、前記遮光板に対して固定した位置にある第２の防塵部材と、
を備えてなる液晶パネルブロック。
【発明の詳細な説明】
【０００１】
【発明の属する技術分野】
本発明は、液晶プロジェクタ装置及び液晶パネルブロックに係り、特に、液晶パネルの防塵構造を改良し、かつ、画面のシェーディング特性を改良した液晶プロジェクタ装置及び液晶パネルブロックに関する。
【０００２】
【従来の技術】
液晶プロジェクタ装置は、赤，青，緑の３原色に対応した液晶パネルを用い、ランプより発した光を３原色に分解した後に液晶パネルに照射することによって、映像をスクリーン上に拡大投影する。
【０００３】
液晶パネルに塵や埃が付着すると、それが拡大してスクリーン上に投影されてしまうため、映像の品位を著しく損ねてしまう。そこで、液晶パネルに塵や埃が付着しないよう、液晶パネルブロックを防塵構造とする必要がある。従来、液晶パネルブロックの防塵構造が種々提案されており、その一例として、特開平１１−３０５６７４号公報に記載のものがある。図８は前記公報に記載の液晶パネルブロックを示す分解斜視図、図９は、前記液晶パネルブロックの斜視図、図１０前記液晶パネルブロックを切断した状態で示す斜視図である。図１１は、液晶プロジェクタ装置全体の構成を示す図である。
【０００４】
上記公報記載の技術は、光を液晶パネル１０６〜１０８に照射し、その液晶パネル１０６〜１０８によって変調された光をスクリーン１１４上に投射して映像を表示する液晶プロジェクタ装置において、前記液晶パネル１０６〜１０８を固定するベース１２１と、前記液晶パネル１０６〜１０８の有効ドット以外に光が当たらないようにする遮光板１２４と、前記ベース１２１と前記遮光板１２４との間に配置される第１の防塵部材１２３と、前記遮光板１２４を挟んで前記液晶パネル１０６〜１０８と対向して配置されるホルダ１２６に固定された波長板１２７と、前記ホルダ１２６と前記遮光板１２４との間に配置され、前記ホルダ１２６の回転によって前記遮光板１２４上を回転方向に摺動する第２の防塵部材１２５とを備えてなる液晶パネルブロックを設けて構成したことを特徴とする液晶プロジェクタ装置を提供するものである。
【０００５】
【発明が解決しようとする課題】
上記公報に記載の技術により、液晶パネル１０６〜１０８に塵や埃が付着することをある程度防止することができるが、上記技術では波長板１２７の回転に伴い第２の防塵部材１２５が回転摺動する際に塵や埃の発生が懸念されるなど、なお改良の余地があった。
【０００６】
本発明は、上述の実情に鑑みて提案されるものであって、液晶パネルに対する塵や埃の付着を防止するような液晶プロジェクタ装置及び液晶パネルブロックを提供することを目的とする。
【０００７】
【課題を解決するための手段】
前述の課題を解決するために、本発明に係る液晶プロジェクタ装置は、光を反射型液晶パネルに照射し、その液晶パネルによって変調された光をスクリーン上に投射して映像を表示するものであって、前記液晶パネルを固定するベースと、前記液晶パネルの有効ドット以外に光が当たらないようにする遮光板と、前記ベースと前記遮光板との間に配置される第１の防塵部材と、前記遮光板を挟んで前記液晶パネルに対向し、前記液晶パネルに照射される光と前記液晶パネルで変調された光の偏光状態を制御する波長板と、前記波長板を固定し、前記波長板とともに回転摺動可能なホルダと、前記遮光板と前記ホルダとの間に配置され、前記遮光板に対して固定した位置にある第２の防塵部材と、を備えてなる液晶パネルブロックを有する。
【０００８】
本発明に係る液晶パネルブロックは、液晶パネルを固定するベースと、前記液晶パネルの有効ドット以外に光が当たらないようにする遮光板と、前記ベースと前記遮光板との間に配置される第１の防塵部材と、前記遮光板を挟んで前記液晶パネルに対向し、前記液晶パネルに照射される光と前記液晶パネルで変調された光の偏光状態を制御する波長板と、前記波長板を固定し、前記波長板とともに回転摺動可能なホルダと、前記遮光板と前記ホルダとの間に配置され、前記遮光板に対して固定した位置にある第２の防塵部材と、を備えてなる。
【０００９】
前記液晶パネルは、前記ベース、前記第１の防塵部材及び前記遮光板によって塵や埃から保護される。なお、前記遮光板は、開口部にプロテクトガラスを備えることが好ましい。
【００１０】
また、前記液晶パネルは、前記第２の防塵部材、前記ホルダ及び前記波長板によって塵や埃から保護される。前記第２の防塵部材は、前記遮光板に対して固定した位置にあり、液晶板及び液晶板ホルダとともに回転することがなく、回転摺動による塵や埃の発生が抑制される。
【００１１】
好ましくは、前記液晶パネルブロックは、前記遮光板に対して固定された波長板ホルダプレートを有し、前記第２の防塵部材は、前記波長板ホルダプレートに固定される。好ましくは、前記波長板ホルダプレートは、前記波長板ホルダを支持する。好ましくは、前記波長板ホルダプレートは、前記第２の防塵部材と前記波長板ホルダとの間に配置される。
【００１２】
好ましくは、前記液晶パネルブロックにおいて、前記液晶パネル、前記ベース、前記遮光板及び前記第１の防塵部材を含む第１のユニットと、前記ホルダ、前記波長板及び前記第２の防塵部材を含む第２のユニットとは、分離可能である。前記第１のユニットと前記第２のユニットを分離できるので、前記液晶パネルを含む前記第１のユニットと、前記波長板を含む前記第２のユニットの組み合わせを変更することができる。前記第１のユニットと前記第２のユニットを分離する際も、前記第１のユニットは、前記ベース、前記第１の防塵部材及び前記遮光板による防塵構造を有し、液晶パネルを塵や埃から保護する。
【００１３】
好ましくは、前記第１の防塵部材と接触する前記ベースの部分に、溝が設けられている。好ましくは、前記溝は、前記ベースにおいて前記液晶パネルが取り付けられた領域の近くに、この領域を略囲んで設けられる。前記溝は、前記液晶パネルが取り付けられた領域に対する周囲からの応力を緩和する。これによって、前記ベースに取り付けられた前記液晶パネルにおいて前記応力による歪みに由来する複屈折が減少し、シェーディングが抑制される。
【００１４】
好ましくは、前記液晶パネルの表示面の裏面は、シリコン単結晶面でなり、前記ベースは、熱膨張係数４０〜５５×１０−７／℃である金属でなる。前記液晶パネルの表示面の裏面の熱膨張係数と前記ベースの熱膨張係数の差が小さいので、前記液晶パネルの温度が上昇しても、前記液晶パネルと前記ベースの熱膨張の差により生じる歪が小さい。したがって、前記ベースに取り付けられた前記液晶パネルにおいて、前記歪に由来する複屈折が減少することになり、シェーディングが抑制される。
【００１５】
【発明の実施の形態】
以下、本発明に係る液晶プロジェクタ装置及び液晶パネルブロックの実施の形態について、図面を参照して詳細に説明する。
【００１６】
図１は、本実施の形態の反射型液晶プロジェクタ装置全体の概略的な構成を示す図である。本実施の形態の液晶プロジェクタ装置は、光を反射型液晶パネル６〜８に照射し、その液晶パネル６〜８によって変調された光をスクリーン１４上に投射して映像を表示する。
【００１７】
図１において、例えばキセノンアークランプであるランプ１より発せられた光は、ミラー２に入射される。コールドミラー２で反射した光はダイクロイックミラー３に入射される。ダイクロイックミラー３に入射された光の内、赤色（Ｒ）光はダイクロイックミラー３を透過してミラー５に入射される。このＲ光はミラー５で反射して偏光ビームスプリッタ（ＰＢＳ）９に入射される。
【００１８】
青色（Ｂ）／緑色（Ｇ）光はダイクロイックミラー３で反射してダイクロイックミラー４に入射される。ダイクロイックミラー４に入射された光の内、Ｇ光はダイクロイックミラー４で反射して偏光ビームスプリッタ（ＰＢＳ）１０に入射される。ダイクロイックミラー４に入射された光の内、Ｂ光はダイクロイックミラー４を透過して偏光ビームスプリッタ（ＰＢＳ）１１に入射される。
【００１９】
ＰＢＳ９に入射されたＲ光はその接続面でＳ波成分のみが反射し、液晶パネル６に入射される。液晶パネル６に入射されたＳ波成分は液晶パネル６で反射してＰ波成分となり、ＰＢＳ９の接続面を透過して合成プリズム１２に入射される。ＰＢＳ１０に入射されたＧ光はその接続面でＳ波成分のみが反射し、液晶パネル７に入射される。液晶パネル７に入射されたＳ波成分は液晶パネル７で反射してＰ波成分となり、ＰＢＳ１０の接続面を透過して合成プリズム１２に入射される。
【００２０】
ＰＢＳ１１に入射されたＢ光はその接続面でＳ波成分のみが反射し、液晶パネル８に入射される。液晶パネル８に入射されたＳ波成分は液晶パネル８で反射してＰ波成分となり、ＰＢＳ１１の接続面を透過して合成プリズム１２に入射される。なお、液晶パネル６〜８には、周知のように、映像に応じた電圧がかけられ、入射されたＲ，Ｇ，Ｂ光がそれぞれ変調される。
【００２１】
合成プリズム１２に入射されたＲ，Ｇ，Ｂ光は合成プリズム１２によって合成され、投射レンズ１３によってスクリーン１４に投射される。このようにして、スクリーン１４には映像が表示される。
【００２２】
次に、本実施の形態の反射型液晶プロジェクタ装置の要部を構成する、液晶パネル６〜８を含む防塵構造の液晶パネルブロックについて説明する。なお、以下では液晶パネル６〜８を代表して液晶パネル６について説明するが、液晶パネル７，８についても同様である。
【００２３】
図２は、本実施の形態の液晶プロジェクタ装置における液晶パネルブロックを示す分解斜視図である。図３は、液晶パネルブロックに含まれる第１のユニットを示す斜視図である。図４は、液晶パネルブロックに含まれる第２のユニットを示す斜視図である。図５は、液晶パネルブロックを切断して示す斜視図である。図６は、液晶パネルブロックを示す斜視図である。
【００２４】
本実施の形態の液晶パネルブロックは、液晶パネル６を含む防塵構造の第１のユニット２０と、波長板３４を含み、第１のユニット２０とともに防塵構造をなす第２のユニット３０とを有する。
【００２５】
第１のユニット２０は、液晶パネル６を固定するベース２３、液晶パネル６の有効ドット以外に光が当たらないようにする遮光板２６、及びベース２３と遮光板２６との間に配置される第１の防塵部材２５を含む。
【００２６】
すなわち、第１のユニット２０は、液晶パネル６と、液晶パネル６を保持するベース２３と、ベース２３を冷却するペルチェ素子２２と、ペルチェ素子２２を冷却するヒートシンク２１と、液晶パネル６に信号を供給するフレキシブル電極２４とを有する。
【００２７】
また、第１のユニット２０は、第１の防塵部材２５と、液晶パネル６の有効ドット部分以外への光線を遮断する遮光板２６と、遮光板２６の開口部に嵌められ固定される石英製のプロテクトガラス２７と、はんだ付けの部材となるソルダリングベース２８とを有する。
【００２８】
液晶パネル６は、シリコン単結晶上に複数の液晶セルを形成した反射型液晶パネルである。液晶パネル６は、フレキシブル電極２４から印加された電圧に応じて各液晶セルが制御され表面に映像が表示される。
【００２９】
液晶パネル６は、表面に表示された映像がスクリーンに投影されるので、塵や埃が付着すると映像の品位が劣化する。したがって、液晶パネル６を含む第１のユニット２０は、塵や埃の侵入を防止するような防塵構造を有する。
【００３０】
また、液晶パネル６は、光弾性常数のため歪みが存在すると複屈折を発生する性質を有し、液晶パネル６に歪が生じると液晶パネル６上の映像の品位が劣化するいわゆるシェーディングが生じる。本実施の形態においては、液晶パネル６〜７は、ＲＧＢ光にそれぞれ対応しているので、色シェーディングが生じる。
【００３１】
図７は、ベース２３を示す平面図である。
【００３２】
ベース２３は、いわゆるコバールと称される金属からなるほぼ矩形の平坦な部材であり、中央に液晶パネル６を接着する液晶パネル接着部２３ａと、液晶パネル２３ａを囲むコの字状の溝部２３ｂとを有する。
【００３３】
ベース２３は、寸法の一例を示すと、ネジを取り付けるネジ穴部を除き、高さ略５０ｍｍ、幅略６０ｍｍ及び厚さ略２ｍｍを有する。液晶パネル接着部２３ａは、突出部を除き、高さ略２６ｍｍ、幅略３５ｍｍ及び深さ略０．４ｍｍを有する。溝部２３ｂは、幅略４ｍｍ及び深さ略０．４ｍｍを有する。
【００３４】
液晶パネル６は、ベース２３の液晶パネル接着部２３ａに接着されるため、ベースの歪などの影響を受けやすい。例えば、ネジ穴を介してベース２３をネジ止めする際に応力が不均一になり、ベース２３に歪むが生じる懸念がある。ベース２３に歪みが生じると、ベース２３の液晶パネル接着部２３ａに接着された液晶パネル６にも歪みを与え、前述した色シェーディングが発生する。
【００３５】
本実施の形態のベース２３には溝部２３ｂが設けられ、この溝部２３ｂが液晶パネル接着部２３ａへの応力を緩和し、液晶パネル接着部２３ａにおける歪を低減している。ベース２３に歪みが生じた場合にも、液晶パネル接着部２３ａに取り付けられた液晶パネル６における歪は小さい。したがって、本実施の形態では、ベース２３の歪に由来する色シェーディングは抑制される。
【００３６】
ベース２３を構成する前記コバールは、２９−１７合金（ニッケル２９％、コバルト１７％、鉄：バランス）と称される鉄・ニッケル・コバルト系合金であり、ＤＦ１６ＣＮと記号化されている。
【００３７】
ベース２３に接着された液晶パネル６はシリコン単結晶上に形成され、ベース２３に表示面の裏面となるシリコン単結晶面でベース２３に接着されている。前記コバールは、シリコン単結晶の熱膨張係数３２×１０−７／℃に近い値を有するので、液晶パネル６の温度が上昇すると、温度パネル６とベース２３は整合して熱膨張する。
【００３８】
液晶パネル６は、光線が照射されて高温になるので、接着されたベース２３によって冷却される。前述のように、液晶パネル６が形成されたシリコン単結晶とベース２３は整合して熱膨張するので、熱膨張により発生する歪は小さい。したがって、本実施の形態では、熱膨張に由来する前記色シェーディングは抑制される。
【００３９】
なお、４２合金（ニッケル４２％、鉄：バランス）と称され、ＤＦ４２Ｎと記号化される鉄ニッケル系合金も、シリコン単結晶に近い熱膨張係数を有する。したがって、前記コバールに代わって、前記４２合金を材料としてベース２３を作成することもできる。
【００４０】
第１の防塵部材２５は、ベース２３と遮光板２６間に設置され、ベース２３の溝部２３ｂ内に粘着材又は接着剤で固定される。第１の防塵部材２５は、例えば発泡ゴム、ウレタンフォーム又はエチレンのような弾性部材によって作成される。ここで、ウレタンフォーム及びエチレンフォームは、適度の弾性があり、また、それ自体から塵や埃が発生しにくいことから、特に好ましい材料である。
【００４１】
第１のユニット２０では、ヒートシンク２１、ベース２３、遮光板２６及びソルダリングベース２８がそれぞれネジ穴を介してネジ止めされ、各部材が固定される。第１のユニット２０は、ベース２３、第１の防塵部材２５、遮光板２６及びプロテクトガラス２７に囲まれた間隙に液晶パネル６を保持する防塵構造を有する。
【００４２】
すなわち、液晶パネル６は、ベース２３と遮光板２６の間隙に配置されるが、遮光板２６の開口部にはプロテクトガラス２７が嵌められ、ベース２３と遮光板２６の間には第１の防塵部材２５が配置される。したがって、液晶パネル６が配置された間隙に塵や埃が入り込む余地はない。
【００４３】
前述のように液晶パネル６は、塵や埃に対して敏感であるが、第１のユニット２０の防塵構造によって、塵や埃の侵入から保護されている。したがって、第１のユニット２０を塵や埃の存在する場所で使用しても、液晶パネル６に与える塵や埃が与える影響は小さい。
【００４４】
第２のユニット３０は、遮光板２６を挟んで液晶パネル６に対向し、液晶パネル６に照射される光と液晶パネル６で変調された光の偏光状態を制御する波長板３４と、波長板３４を固定し、波長板３４とともに回転摺動可能な波長板ホルダ３３と、遮光板２６と波長板ホルダ３３との間に配置され、遮光板２６に対して固定した位置にある第２の防塵部材３１とを含む。
【００４５】
すなわち、第２のユニット３０は、第２の防塵部材３１と、波長板を保持する波長板ホルダプレート３２と、波長板ホルダ３３と、波長板３４と、ＰＢＳベースアセンブリ３５とを有する。
【００４６】
第２の防塵部材３１は、波長板ホルダプレート３２に粘着材又は接着剤によって固定される。波長板３４は、波長板ホルダ３３とともに、液晶パネル６に対する偏光状態を調整するために回転摺動される。本実施の形態では、第２の防塵部材３１は固定され、波長板３４とともに回転方向に摺動することがないので、摺動による塵や埃の発生が抑制される。
【００４７】
第２の防塵部材３１は、前述のように、発泡ゴム、ウレタンフォーム又はエチレンフォームを材料とする。前述のように、適度の弾性があり、また、それ自体から塵や埃が発生しにくいことから、第２の防塵部材３１の材料には、ウレタンフォーム又はエチレンフォームが特に好ましい。
【００４８】
波長板ホルダプレート３２は、波長板３４及び波長板ホルダ３３が回転可能なように支持する。波長板３４は、この波長板３４を固定する波長板ホルダ３３とともに回転する。
【００４９】
波長板ホルダ３３は、ＰＢＳベースアセンブリ３５と波長板ホルダ３２に支持され、波長板３４とともに回転方向に摺動できるように支持される。波長板３４は、液晶パネル６に対する偏光状態を調整するために回転角度が設定される。
【００５０】
ＰＢＳベースアセンブリ３５は、第１のユニット２０及び第２のユニット３０を含む液晶パネルブロックをＰＢＳに固定する部材である。図１に示した液晶プロジェクタ装置の全体図において、ＰＢＳベースアセンブリ３５は、液晶パネル６〜８を含む液晶パネルブロックをＰＢＳ９〜１１に取り付ける役割を果たしている。
【００５１】
第１のユニット２０と第２のユニット３０は、ソルダリングベース２８とＰＢＳベースアセンブリ３５をはんだ付けすることで接続される。この接続によって、第１のユニット２０のソルダリングベース２８と第２のユニット３０のＰＢＳベースユニット３５に挟まれた、第２のユニット３０の第２の防塵部材３１、波長板ホルダプレート３２、波長板ホルダ３３及び波長板３４が固定される。
【００５２】
第１のユニット２０と第２のユニット３０を接続すると、第２のユニット３０において遮光板２６及びプロテクトガラス２７と波長板３４の間隙は、ソルダリングベース２８と波長板ホルダプレート３２の間に第２の防塵部材３１が配置されるので、塵や埃が入り込むことがない。したがって、第２のユニット３０は、第１のユニット２０と接続した状態で、防塵構造となっている。
【００５３】
液晶パネルブロックにおいて、液晶パネル６やプロテクトガラス２７などの光学素子は、塵や埃に対して敏感であるが、第２のユニット３０の防塵構造によって、塵や埃の侵入から保護されている。したがって、第１のユニット２０と接続した第２のユニット３０を塵や埃の存在する場所で使用しても、前記光学素子に与える塵や埃が与える影響は小さい。
【００５４】
前述のように、本実施の形態の液晶パネルブロックは、液晶パネル６を含む第１のユニット１０と、波長板３４を含む第２のユニットから構成される。したがって、例えば液晶パネル６と波長板３４の組み合わせを変更する場合、第１のユニット１０と第２のユニット２０のそれぞれについて、ユニットごとに容易に交換を行うことができる。
【００５５】
液晶パネルブロック全体の組立や、第１のユニット２０と第２のユニッ３０トの取り外しは、クリーンベンチもしくはクリーンルームにて行なう。これによって、第１のユニット２０又は第２のユニット３０の防塵構造内に塵や埃が入り込むことを防止することができる。
【００５６】
第１のユニット２０と第２のユニット３０の接続を取り外す際も、第１のユニット１０は防塵構造が維持されているので、塵や埃に最も影響を受けやすい液晶パネル６に対する防塵を損なうことがない。
【００５７】
なお、波長板３４は液晶パネル６の表面より離れているので、波長板３４に塵や埃が付着してもスクリーン１４上で焦点を結ぶことがない。したがって、波長板３４は、防塵構造をとらなくても画質の劣化が大きくなることはない。
【００５８】
上述のような構成を有する本実施の形態の液晶パネルブロックを備えた液晶プロジェクタ装置は、防塵効果が優れ、また、併せて液晶パネルの歪による色シェーディングを抑制し、高品位の映像を映出することができる。
【００５９】
なお、本発明は、前述の実施の形態に限定されることはなく、本発明の要旨を逸脱しない範囲において種々変更可能である。例えば、前述した液晶パネルブロックは、図１に示したようなＲＧＢ光に分離する液晶プロジェクタでなく、他の方式の液晶プロジェクタにも適用することができる。また、前記ベース２３は、前述の寸法に限られず、他の寸法で作成することもできる。
【００６０】
【発明の効果】
前述のように、本発明においては、第２の防塵部材は固定され、波長板とともに回転摺動することがない。したがって、第２の防塵部材の回転摺動によって発生する塵や埃が抑制され、液晶パネルに付着する塵や埃を低減することができる。
【００６１】
本発明においては、波長板パネルを接着するベースにおいて、波長板パネルを接着する領域を囲んで溝部が設けられている。前記溝部はベースが歪んでも応力を緩和するので、液晶パネル与えるベースの歪の影響は小さい。したがって、本発明では、ベースの歪に由来するシェーディングを抑制することができる。
【００６２】
本発明においては、液晶パネルを形成したシリコン単結晶に近い熱膨張率を有する材料でベースを作成している。前記ベースは、液晶パネルの温度が上昇しても整合して熱膨張するので、液晶パネルに与える熱膨張による歪の影響は小さい。したがって、本発明では、熱膨張に由来するシェーディングを抑制することができる。
【００６３】
本発明においては、液晶パネルを含む液晶パネルブロックは、それぞれ防塵構造を有する第１のユニット及び第２のユニットから構成されている。したがって、例えば液晶パネルと波長板の組み合わせを変更する際にも、第１のユニットと第２のユニットをユニットごとに変更することができる。したがって、これらの作業の負担が軽減される。また、第１のユニットと第２のユニットを取り外しても、第１のユニットの防塵構造は維持されるので、液晶パネルに対する塵や埃の付着を防止することができる。
【図面の簡単な説明】
【図１】本実施の形態の液晶プロジェクタ装置全体の概略的な構成を示す図である。
【図２】本実施の形態の液晶プロジェクタ装置における液晶パネルブロックを示す分解斜視図である。
【図３】第１のユニットを示す斜視図である。
【図４】第２のユニットを示す斜視図である。
【図５】液晶パネルブロックを切断して示す斜視図である。
【図６】液晶パネルブロックを示す斜視図である。
【図７】ベースの平面図である。
【図８】従来の液晶パネルブロックの分解斜視図である。
【図９】従来の液晶パネルブロックの斜視図である。
【図１０】従来の液晶パネルブロックを切断して示す斜視図である。
【図１１】従来の液所プロジェクタ全体の概略的な構成を示す図である。
【符号の説明】
６〜８  液晶パネル
２０  第１のユニット
２１  ヒートシンク
２２  ペルチェ素子
２３  ベース
２４  フレキシブル電極
２５  第１の防塵部材
２６  遮光板
２７  プロテクトガラス
２８  ソルダリングベース
３０  第２のユニット
３１  第２の防塵部材
３２  波長板ホルダプレート
３３  波長板ホルダ
３４  波長板
３５  ＰＢＳベースアセンブリ
【図１】
0003899917.tif 000002
【図２】
0003899917.tif 000003
【図３】
0003899917.tif 000004
【図４】
0003899917.tif 000005
【図５】
0003899917.tif 000006
【図６】
0003899917.tif 000007
【図７】
0003899917.tif 000008
【図８】
0003899917.tif 000009
【図９】
0003899917.tif 000010
【図１０】
0003899917.tif 000011
【図１１】
0003899917.tif 000012